(57)【要約】【課題】  綱引き競技は、健常者の力持ちの競技で、耳目に障害のある人、幼児、シニアには，不向きな競技で、対面して引き合うため、転倒する危険性があり、準備が煩雑であった。【解決手段】  ロープに係止具を付けて前向きに綱を引くため、転倒する危険性が少なくなり、幼児、シニア等にも安全な引き方である。係止具でロープが、試合場所に直接接することなく取り付けて、審判員が足を離すことでロープは浮き上がって、弛みが直線になって、基線合わせの熟練が不要で、正対して引く従来の綱引き競技にも適用できる。【選択図】図４
2020103862.tif 000002
【特許請求の範囲】
【請求項１】
台形状の長手方向に向けて、両端で貫通した貫通孔を設けた係止具本体と、
前記係止具本体の底部に、滑り止め部材を設けた底部と、前記係止具本体の中央に、センターマークを印した綱引き競技用ロープの係止具。
【請求項２】
請求項１に記載の係止具の貫通孔に、綱引き競技用ロープの中央位置まで
前記綱引き競技用ロープを、前記貫通孔を通して取り付けた綱引き競技用ロープ。
【請求項３】
請求項１に記載の係止具の長手方向の両端から帯状紐帯を設けて、
さらに前記帯状紐帯の途中から、取り付け具を備えた綱引き競技用ロープの係止具。
【発明の詳細な説明】
【技術分野】  綱引き競技用ロープおよび係止具に関する。【０００１】
【背景技術】
【０００２】  従来綱引き競技に用いる綱引き競技用ロープ（以下従来の綱引き競技用ロープをロープと称する）は、その中央にセンターマークをペイント等で付けて、対面して正対した２チームが、審判員の指示により、互いにロープの中央部分が、垂れ下がらないように、互いに持ち上げて把持した状態で、前述２チームの中央に位置した主審が、床上のマット、地面等の試合場所に印した、基線の直上に、前述ロープのセンターマークが来るように２チームの競技者を、左右に移動して合致させて、合図と同時に試合を開始して互いに後方に引きはじめて、その引き代を競う競技に使用するものである。
【発明の概要】
【発明が解決しようとする課題】
【０００３】  綱引き競技は、前述要領で室内では主として滑り止めのマットを敷いて、屋外では、地面等の各試合場所で、２チームが互いに後方向に引く競技であるために、健常な力持ちが行う競技とされている。【０００４】  したがって、幼児、年配者、あるいは健康であっても、耳目に障害を有する人は、行うことが難しい競技であった。【０００５】  すなわち、通常綱引き競技においては、審判員の指示により、試合場所上の２チームが互いに中央のセンターマークから等距離に向きあって正対して、両チームの中央に立つ審判員が、ロープの中央に印したセンターマークを、試合場所の目印となる基線の直上に合わせるため、２チームがロープを把持して、弛みのないように持ち上げて力を抜いた状態で、審判員の指示により左右に移動して、基線上にセンターマークを合わせた後に、競技者は目視によって審判員の、手のしぐさと声等の合図に合わせて、ロープを後方に引き合う競技である。【０００６】  したがって、引き始め位置が固定されておらず、左右に移動してずれやすく、センターマークと基線の位置合わせが微妙で、審判員、競技者の熟練を要して、また、正対して後方に引き合うために、後方に倒れる危険性があった。また、引き始めの声等の合図は、場内の喧騒、祭り等の騒がしい雰囲気のなか，あるいは、耳目に障害のある人には、伝わりにくい方法である。【０００７】  特に、互いに正対して後向きになって、後方に向けて引き合うために、後方に転倒する、あるいは、仰向けに倒れる危険性が避けられない。また、正対して引き合う競技のために、互いに背を向けて引き合うことは、審判員のスタート等の合図が視認できず、障害者等には不向きの競技であった。
【課題を解決するための手段】
【０００８】  本発明は上述の欠陥を除去して、安全に楽しめる綱引き競技を行うために、ロープの中央に印したセンターマーク位置のロープ中央までに、主として台形状の係止具の長手方向に向けて両端を貫通した貫通孔を設けた当該貫通孔に、試合場所上に印した基線と合致させるセンターマークを正面中央から背面に印した係止具本体で、当該係止具本体は試合場所に仮固定するために、底部に滑り止め部材を施して、あるいは、ゴム材等で係止具を形成して、前述係止具本体に設けた、当該貫通孔にロープの中央位置までを通して取り付けた、正対しても背面しても綱引き競技が可能な、ロープ本体の中央位置に係止具を取り付けたことを特徴とする、新規の綱引き競技用ロープの発明である。【０００９】  本発明では２チームの競技者は、互いに正対するだけでなく、互いに中央に背面して、新規の綱引き競技用ロープ（以下新規の綱引き競技用ロープを綱引き競技用ロープと称する）を把持して、競技を行なっても良い。【００１０】  そのために審判員は、試合場所上に印した基線上に合わせて、綱引き競技用ロープの中央位置にセンターマークを印した係止具本体を、予め審判員が踏みつけて、基線上に係止具のセンターマークを係止して仮固定した後に、２チームが互いに綱引き競技用ロープを正面状態で、あるいは背面状態で持ち上げて、把持した状態となる。【００１１】  審判員の声等の合図とともに、審判員が中央の踏みつけた足を係止具から離すことで、試合場所上から綱引き競技用ロープは、直線となるべく浮き上がって弛みが生じるので、競技者全員が、その弛みを手あるいは身体で感じる、と同時に互いに引き始めることにより、綱引き競技用ロープに生じたその弛みを、競技者全員が視認だけでなく、手および脇等の体に感じて、引き始める競技開始の合図として、課題を解決するものである。
【発明の効果】
【００１２】  本発明では、台形状長手方向の両端を貫通して、貫通孔を形成した係止具本体の、前述貫通孔にロープを通して、固着して取り付けた係止具の上面を踏みつけるため、試合場所との摩擦等の擦れによるロープの損傷劣化が発生することはなく、手で持つロープを踏みつける違和感が少ない。【００１３】  係止具をロープの中央位置までに取り付けて、審判員がその上面を踏みつけて仮固定した後、競技者が綱引き競技用ロープを持ち上げて把持することで、ロープに取り付けた係止具に施した底面の摩擦力、食い込み等の滑り止め部材と、試合場所との係止力により、綱引き競技用ロープは微動せず仮固定されて、審判員の合図とともに、仮固定した係止具を離すことにより、競技者は声等の合図とともに、正面を向いて正対して、あるいは従来は不可能であった、互いに背面して生じた綱引き競技用ロープの弛みを、手または体で感じて、互いに引き始めることで、幼児、シニア、耳目に障害を有する競技者が引き合ってもよい。【００１４】  綱引き競技用ロープの仮固定が完全に行うことができて、従来の綱引き競技のように、ロープのセンター位置合わせに審判員の熟練を要しなくなり、背面して競技する場合、引く力が弱いので、従来の室内における競技のように、マット敷き等の試合場所設営のための、複雑な準備の必要がなくなり、試合場所に基線を描くだけで、簡便に競技が行える。【００１５】  特に踏みつけた係止具を離すことにより、綱引き競技用ロープに弛みが生じることにより、祭り等の騒がしい雰囲気でも、耳目に障害があっても、審判員の合図が競技者の綱引き競技用ロープを握る手または体の感覚として、確実に競技者に伝わって、綱引き競技用ロープの引き始め時期が、競技者に確実に伝わり、従来のように２チーム間の引き始め時の綱引き競技用ロープのズレ等の、トラブルが発生しない。【００１６】  また従来の引き始めの合図の方法ではできなかった、耳目に障害がある人でも、綱引き競技用ロープを握る力と脚力があれば、健常者とともに綱引き競技を楽しむことができる綱引き競技用ロープとなる。【００１７】  また、転倒する危険性がある、従来のセンターマークに正対して引き合う引き方に対して、背面して互いに引くことができるので、引く方向と移動する方向が、同じ正面のために転倒する危険が少なく、幼児、シニア等の綱引き競技が楽しめる、安全な競技となる、ロープの中央位置に係止具を取り付けた、綱引き競技用ロープの発明である。【００１８】  係止具を着脱可能とすれば既存のロープが新規の綱引き競技用ロープと同様に用いられる。また係止具をロープを貫通して取り付けずに，ロープに吊り下げて取り付ければ、綱引き競技用ロープの弛み加減を調整できるとともに、綱引き競技用ロープが審判員の足の甲の上を、通ることとなって、踏みつける違和感が全くなくなる。
【図面の簡単な説明】
【００１９】
【図１】は係止具を試合場所上に置いた状態で、また競技者が持ち上げた状態でも、貫通孔を通る綱引き競技用ロープの係止具の両端が、試合場所に接触していない部分図。
【図２】は係止具の斜面図。
【図３】は係止具の中央部横断面図。
【図４】は試合開始時の主要部分の状態図。
【図５】は係止具のセンターマークが、綱引き競技用ロープの中央位置の直下となるべく、帯状紐帯の中央に係止具を吊り下げて、綱引き競技用ロープに取り付けた側面図。
【図６】は係止具の片方の帯状紐帯を綱引き競技用ロープに取り付け具で着脱可能に固定した状態図。
【発明を実施するための形態】
【実施例１】
【００２０】  図１、図２、図３、図４、において、
台形状の長手方向に向けて、両端を貫通した貫通孔１を設けた係止具２本体と、
係止具２本体の底部３に、滑り止め部材４を設けた底部３と、係止具２本体の中央に、センターマーク５を印した綱引き競技用ロープ６の係止具２であり、
前述係止具２本体の貫通孔１に、綱引き競技用ロープ６の中央位置まで、前述綱引き競技用ロープ６を、前述貫通孔１を通して取り付けた綱引き競技用ロープ６である。
床上のマット、地面等の試合場所７との間と、係止具２の上面との間の、上下に間隙を有した貫通孔１を設けて、係止具２本体の全体をゴム等の滑り止め部材４で形成して、または底部３に摩擦力、突起の食い込み等の係止力となる滑り止め部材４を有して、上面を凸状に形成して、係止具２の中央の、正面から背面にかけてセンターマーク５を印した係止具２であり、当該係止具２本体の貫通孔１に、綱引き競技用ロープ６のセンターマーク５を印した中央位置まで当該綱引き競技用ロープ６を、貫通孔１を通して取り付けた綱引き競技用ロープ６である。【００２１】  試合開始に際して、試合場所７上に印した基線８上に、センターマーク５を印した係止具２を、主審となる審判員９が予め踏みつけて、係止、および離脱可能に仮固定した後、対した２チームの競技者１０が、審判員９の指示で綱引き競技用ロープ６を持ち上げて把持した状態で、試合開始を待つ。【００２２】  審判員９の試合開始の、他の合図と同時に、踏みつけて仮固定していた足を、係止具２の上面より離すことにより、綱引き競技用ロープ６は試合場所７上に係止していた状態から離脱して、直線となる弛みを生じて、競技者１０は耳目だけでなく、手等の感覚で弛みを感じて試合を開始する。【００２３】  図２、図３の実施例では、長手方向の両端の上下に間隙を有する、綱引き競技用ロープ６を通す貫通孔１を形成した係止具２の詳細で、上面が山形等、凸状に中央部が盛り上がって、綱引き競技用ロープ６の正面、背面いずれ側からも、審判員９が踏みつけられるように、傾斜して形成して、審判員９が、踏みつけ離す動作が円滑に行えて、底部３は試合場所７との、摩擦力、突起の食い込み等による係止作用を得るべく、滑り止め部材４で形成している。【００２４】  図４は、審判員９の足で、試合場所６上の基線８上に合わせた、係止具２の上面を踏みつけて、基線８上に仮固定した後、相対する２チームが、互いに図４の右側の競技者１０のように中央に正対して、また左側の競技者１０のように背面して、綱引き競技用ロープ６を持ち上げて，把持した状態で競技の開始を待つ。【００２５】  審判員９は、声等の合図とともに、踏みつけていた係止具２上の足を離すことにより、離脱した綱引き競技用ロープ６が直線となる弛みを生じて、全競技者１０は、声等の合図が伝わらなくても、手または体に綱引き競技用ロープ６の弛みを感じて、競技を開始する合図とする綱引き競技用ロープ６である。【００２６】  したがって審判員９は、試合場所７に描かれた基線８上に、予め係止具２を合わせて係止具２の上面を踏みつけて仮固定することにより、綱引き競技用ロープ６のセンター位置に、多少の左右の引き圧があっても、試合開始の合図まで、仮固定することが容易にできる。【００２７】  したがって係止具２の底部３は、底面が地面または床またマット等の試合場所７に対して、係止力を有する材質のゴム等の滑り止め部材材７で形成されて綱引き競技用ロープ６に固着されて、係止具２近辺の綱引き競技用ロープ６と試合場所７との間にすき間を有して、綱引き競技用ロープ６を持ち上げても、降ろした状態でも、互いが直接触れずに綱引き競技用ロープ６のセンターマーク位置近辺の汚染損傷劣化を防ぐ。【００２８���  その他引き合う人数により、また綱引き競技用ロープ径に応じて、係止具を貫通する綱引き競技用ロープの貫通孔径を変えて、取りはずし可能に係止具を形成して至便である。
係止具が通るように、固着して綱引き競技用ロープの端末を形成した新規の綱引き競技用ロープ以外の、主として学校等の市中にある、既存のロープは、その両端末が涙滴状、リング状に編み込んで解れを防いでいるため、端末から係止具を通して，中央に固着することは、手間がかかるため、係止具の貫通孔の片側、あるいは両側を上下に分割して、既存のロープを挟んで固着して供して至便である。
【実施例２】
【００２９】  図５、図６において、実施例１に記載した係止具２の長手方向の両端から帯状紐帯１１を設けて、さらに帯状紐帯１１の途中から、取り付け紐等の取り付け具１２を備えた綱引き競技用ロープ６の係止具２である。
即ち綱引き競技用ロープ６のセンターマーク５から左右に等距離位置に、前述等距離位置間より長い、係止具２の長手方向の両端から、帯状の帯状紐帯１１を設けて、係止具２のセンターマーク５が、ロープ自体の中央位置の直下に吊り下がるべく、帯状紐帯１１の途中から、取り付け具１２を、ロープ自体と着脱可能に備えた綱引き競技用ロープ６の係止具２である。【００３０】  新品の製造時は、ロープ自体に吊り下げる係止具に取り付けた帯状紐帯の、それぞれの他端部は前述ロープ自体に編み込んで固定するのが、基本的な作製方法である。【００３１】  既存のロープが学校等教育関係に多数在るため、前述帯状紐帯の両端を、便宜上ロープに着脱可能に形成して、綱引き競技用ロープとして供すべく、それぞれの帯状紐帯の途中、または実施例のように、他端の途中に取り付け具を備えて、吊り下げた係止具をロープ自体に着脱可能に装着したものである。【００３２】  ロープ自体の下に係止具を吊り下げて取り付けたために、ロープ自体と係止具が離れた綱引き競技用ロープで、係止具を取り付けたロープ自体が、審判員の足の甲の上を通って、係止具は踏みつけるが、直接綱引き競技用ロープを踏みつける状態とはならない。【００３３】  また、用いる帯状紐帯に適度の伸縮性を持たせてロープ自体に添わせて、競技中の係止具のぶれを防止して至便である。【００３４】  帯状紐帯の各他端を図示するように、末幅広状に形成して、綱引き競技用のロープ自体を包み込んで、ベルクロ面テープ等の着脱可能な取り付け具を備えて、着脱可能に綱引き競技用ロープと緊締して至便である。図中、取り付け具で綱引き競技用ロープに係止具を固着して表わしているが、帯状紐帯の他端部を左右に半円の筒状に編み分けて、上面部分で結合してロープに被せて、底面部に突起のない面ファスナー類で固定してもよい。【００３５】  また綱引き競技用ロープと一体に、係止具を固着して供する以外に、正対して引き合う場合と、背面して引き合う場合、また幼児どうし等では身長が異なるために、審判員の係止具の踏みつけに対して、弛み代が大きくあるいは小さくなり過ぎるため、引き始めの合図としての、引き代の不具合を帯状紐帯を前後動可能に調整して固定して、ロープ自体の捻れに対応して至便である。【００３６】  特に、係止具を取り付けた帯状紐帯が、綱引き競技用ロープと離れているために、審判員の足による、踏みつけに対する違和感が発生しない。
また、従来のように正対して引き合う場合でも、引き合う前にロープが完全に固定されているために、審判員の位置合わせの左右調整技術の熟練が必要ない。【００３７】  試合開始時の綱引き競技用ロープの弛みが、競技者の座高、身長に応じて、適正に行えて、座高差に対して、係止具と帯状紐帯の左右の長さを変えて、引き出し時に対応できる。【００３８】  したがって、固定する綱引き競技用ロープ径に応じた貫通孔径を有する  係止および離脱可能な係止具を供し、また綱引き競技用ロープ中央のセンターマーク位置に、直接係止具を吊り下げて、係止具の上面の踏みつけ部を形成して、背面して引き合う等、径の小さい綱引き競技用ロープに適用して至便である。【００３９】  また、ロープ自体は捻って作られているので、その影響を受ける係止具の底面が、常に基線に面して、常に上面を押えつけと、試合開始とセンターマークの表示とが、回動機構で対応して、ロープの捻れの影響を防止して至便である。
【産業上の利用可能性】
【００４０】  綱引き競技用ロープは、運動会の綱引き競技用のロープとして、全国の小中学校等に、口径の大きい、多人数用ロープがあり、係止具のみを購入して取り付ければ、値段の高いロープ本体を購入せずに済んで経済的で、本発明の新規の綱引き競技用ロープとなる。【００４１】  従来は力持ちに限られていた競技であった綱引き競技が、背面して引き合うことで、従来は競技が困難であった幼児シニア、耳目に障害を有する人でも、こける危険性が極端に少なくなって安全となり、競技者の範囲が大きく広がる。また、従来の正対する引き方でも、耳目に障害を有するひとでも、健常者に伍して、綱引き競技が楽しめて、パラリンピックの種目としての可能性を秘めており、祭り等の騒がしい雰囲気でも、地面路上でも、試合場所の設営が容易にできて、簡便に試合、競技の設定ができて、古来の柔剣道等と同様に秋祭り神社等の綱引き由来の奉納試合として、供することができる。【００４２】  その手軽さ、安全で簡便な綱引きのために、競技以外の、だんじり、神輿等どうしを対抗させて、多人数による引き合いも創出できて安全に楽しめる、綱引き競技用ロープの発明である。
【符号の説明】
【００４３】１  貫通孔
２  係止具
３  底部
４  滑り止め部材
５  センターマーク
６  綱引き競技用ロープ
７  試合場所
８  基線
９  審判員
１０  競技者
１１  帯状紐帯
１２  取り付け具
【図１】
2020103862.tif 000003
【図２】
2020103862.tif 000004
【図３】
2020103862.tif 000005
【図４】
2020103862.tif 000006
【図５】
2020103862.tif 000007
【図６】
2020103862.tif 000008
【手続補正書】
【提出日】平成31年4月15日(2019.4.15)
【手続補正１】
【補正対象書類名】特許請求の範囲
【補正対象項目名】請求項１
【補正方法】変更
【補正の内容】
【請求項１】
台形状の長手方向に向けて、両端を貫通した、綱引き競技用ロープを通す、貫通孔を設けた係止具本体と、前記係止具本体の底部に、滑り止め部材を設けた前記底部と、前記係止具本体の中央に、センターマークを印した、綱引き競技用ロープの係止具。
【手続補正２】
【補正対象書類名】特許請求の範囲
【補正対象項目名】請求項３
【補正方法】変更
【補正の内容】
【請求項３】
請求項１に記載の係止具の長手方向の両端から帯状紐帯を設けて、
さらに、前記係止具の長手方向の両端から、前記帯状紐帯の両端の途中に、
綱引き競技用ロープに取り付けることができる、
取り付け具を備えた綱引き競技用ロープの係止具。